(57)【要約】  ユーザ毎あるいは自宅内のユーザの居場所に応じて電化機器と連携動作する携帯端末の優先度をダイナミックに切り替える。ドアホンホスト２８は、優先値制御部を有する。優先値制御部は、携帯端末１７との連携動作を行う際に、携帯端末１７に連携動作を要求する呼び出し情報および優先値を生成する。携帯端末１７は、優先値記憶部、およびＣＰＵを有する。優先値記憶部２は、携帯端末に設定された優先値を記録する。を格納する。ＣＰＵは、ドアホンホスト２８から送信された優先値を受け取った際に、該優先値と優先情報記憶部の優先値とが一致しているかを判定し、一致していると電化機器と連係動作するアプリケーションをアクティブにする。
2017098633.tif 000002
【特許請求の範囲】
【請求項１】
電化機器と、前記電化機器と通信することによって連携動作する携帯端末と、を備えた電化機器通信システムであって、
前記電化機器は、
前記携帯端末との連携動作を行う際に、前記携帯端末に連携動作を要求する連携情報および第１の優先情報を生成する優先情報制御部と、
前記優先情報制御部が生成する前記連携情報および前記第１の優先情報を前記携帯端末に送信する第１の通信部と、
を有し、
前記携帯端末は、
前記携帯端末に設定される第２の優先情報を記録する優先情報記憶部と、
前記電化機器との連係動作を行うアプリケーションを格納するアプリケーション格納部と、
前記第１の通信部から送信された前記第１の優先情報を受け取った際に、受け取った前記第１の優先情報と前記優先情報記憶部に記録された前記第２の優先情報とが一致しているか否かを判定し、一致している場合に前記アプリケーション格納部に格納される前記アプリケーションをアクティブにする制御部と、
前記第１の通信部が送信する前記第１の優先情報を受信する第２の通信部と、
を有し、
前記第１の優先情報は、前記電化機器が連携動作させる携帯端末を指定する情報であり、
前記第２の優先情報は、前記電化機器が連携動作させる際の優先順位を示す情報である、電化機器通信システム。
【請求項２】
請求項１記載の電化機器通信システムにおいて、
前記優先情報制御部は、前記携帯端末との連携動作を行う際に、最も優先順位の高い携帯端末から順に連携動作するように前記第１の優先情報を生成する、電化機器通信システム。
【請求項３】
請求項１記載の電化機器通信システムにおいて、
前記電化機器は、
測定用電波を前記携帯端末に送信する送信部と、
前記第２の通信部によって送信された前記測定用電波の受信強度に基づいて、前記第２の優先情報を決定する優先情報決定部と、
を有し、
前記携帯端末は、
前記送信部が送信した前記測定用電波を受信する受信部と、
前記受信部が受信した前記測定用電波の受信強度を測定する測定部と、
を有し、
前記優先情報決定部は、前記測定用電波の受信強度が強い前記携帯端末から順に優先順位が高くなるように前記第２の優先情報を決定し、
前記優先情報記憶部が記録する前記第２の優先情報は、前記優先情報決定部が決定した前記第２の優先情報である、電化機器通信システム。
【請求項４】
請求項１記載の電化機器通信システムにおいて、
前記電化機器は、
測定用電波を前記携帯端末に送信する送信部と、
前記携帯端末から受け取った前記測定用電波の受信強度に基づいて、前記第２の優先情報を決定する優先情報決定部と、
を有し、
前記携帯端末は、
前記送信部が送信した前記測定用電波を受信する受信部と、
前記受信部が受信した前記測定用電波の受信強度を測定して前記電化機器に送信する測定部と、
を有し、
前記優先情報決定部は、前記測定用電波の受信強度に基づいて前記携帯端末の位置を検出し、設定されたエリア内に位置する前記携帯端末の優先順位が最も高くなるように前記第２の優先情報を決定し、
前記優先情報記憶部は、前記優先情報決定部が決定した前記第２の優先情報を記録する、電化機器通信システム。
【請求項５】
請求項１記載の電化機器通信システムにおいて、
前記電化機器は、
測定用電波を前記携帯端末に送信する送信部と、
前記携帯端末から受け取った前記測定用電波の受信強度に基づいて、前記第２の優先情報を決定する優先情報決定部と、
を有し、
前記携帯端末は、
前記送信部が送信した前記測定用電波を受信する受信部と、
前記電化機器との連携動作を許可するか否かを示す許可情報を格納する属性情報記憶部と、
前記受信部が受信した前記測定用電波の受信強度を測定する測定部と、
を有し、
前記測定部は、前記測定用電波の受信強度を測定する際に、前記属性情報記憶部に格納される前記許可情報を取り込み、前記測定用電波の受信強度および前記許可情報を前記第２の通信部によって送信し、
前記優先情報決定部は、前記許可情報に基づいて、連携動作が許可されている携帯端末であるかを認識し、連携動作が許可されている携帯端末から送信される前記測定用電波の受信強度に基づいて、前記携帯端末の位置を検出し、設定されたエリア内に位置する前記携帯端末の優先順位が最も高くなるように前記第２の優先情報を決定し、
前記優先情報記憶部は、前記優先情報決定部が決定した前記第２の優先情報を記録する、電化機器通信システム。
【請求項６】
請求項３記載の電化機器通信システムにおいて、
前記送信部は、近距離無線通信によって前記測定用電波を送信する、電化機器通信システム。
【請求項７】
電化機器と、前記電化機器と通信することによって連携動作する携帯端末と、を備えた電化機器通信システムによる電化機器通信連携方法であって、
前記電化機器が、前記携帯端末との連携動作を行う際に、前記携帯端末に連携動作を要求する連携情報および第１の優先情報を生成して前記携帯端末に送信するステップと、
前記携帯端末が、前記第１の優先情報を前記電化機器から受け取った際に、受け取った前記第１の優先情報と予め前記携帯端末に設定されている第２の優先情報とが一致しているか否かを判定し、一致している場合に前記電化機器との連係動作を行うアプリケーションをアクティブにするステップと、
を有し、
前記第１の優先情報は、前記電化機器が連携動作させる携帯端末を指定する情報であり、
前記第２の優先情報は、前記電化機器が連携動作させる際の優先順位を示す情報である、電化機器通信連携方法。
【請求項８】
請求項７記載の電化機器通信連携方法において、
前記電化機器が、測定用電波を前記携帯端末に送信するステップと、
前記携帯端末が、前記電化機器から送信された前記測定用電波を受信するするステップと、
前記携帯端末が、受信した前記測定用電波の受信強度を測定して前記電化機器に送信するステップと、
前記電化機器が、前記携帯端末から送信された前記測定用電波の受信強度に基づいて、前記第２の優先情報を決定するステップと、
を有し、
前記第２の優先情報を決定するステップは、前記測定用電波の受信強度が強い前記携帯端末から順に優先順位が高くなるように前記第２の優先情報を決定する、電化機器通信連携方法。
【請求項９】
請求項７記載の電化機器通信連携方法において、
前記電化機器が、測定用電波を前記携帯端末に送信するステップと、
前記携帯端末が、前記電化機器が送信した前記測定用電波を受信するステップと、
前記携帯端末が、受信した前記測定用電波の受信強度を測定して前記電化機器に送信するステップと、
前記電化機器が、前記携帯端末から送信された前記測定用電波の受信強度に基づいて、前記第２の優先情報を決定するステップと、
を有し、
前記第２の優先情報を決定するステップは、前記測定用電波の受信強度に基づいて前記携帯端末の位置を検出し、設定されたエリア内に位置する前記携帯端末の優先順位が最も高くなるように前記第２の優先情報を決定する、電化機器通信連携方法。
【請求項１０】
請求項７記載の電化機器通信連携方法において、
前記電化機器が、測定用電波を前記携帯端末に送信するステップと、
前記携帯端末が、前記電化機器が送信した前記測定用電波を受信するステップと、
前記携帯端末が、受信した前記測定用電波の受信強度を測定するステップと、
前記携帯端末が、測定した前記受信強度および予め設定された連携動作が許可されているか否かを示す許可情報を前記電化機器に送信するステップと、
前記電化機器が、前記許可情報に基づいて、連携動作が許可されている携帯端末を認識するステップと、
前記電化機器が、認識した連携動作が許可されている携帯端末から送信された前記測定用電波の受信強度に基づいて、連携動作が許可されている前記携帯端末の前記第２の優先情報を決定するステップと、
前記電化機器が、決定した前記第２の優先情報を前記携帯端末に送信するステップと、
を有し、
前記第２の優先情報を決定するステップは、前記測定用電波の受信強度に基づいて、前記携帯端末の位置を検出し、設定されたエリア内に位置する前記携帯端末の優先順位が最も高くなるように前記第２の優先情報を決定する、電化機器通信連携方法。
【請求項１１】
電化機器と通信することによって連携動作する携帯端末であって、
前記携帯端末に設定される第２の優先情報を記録する優先情報記憶部と、
前記電化機器との連係動作を行うアプリケーションを格納するアプリケーション格納部と、
前記電化機器から送信された第１の優先情報を受け取った際に、受け取った前記第１の優先情報と前記優先情報記憶部に記録された前記第２の優先情報とが一致しているか否かを判定し、一致している場合に前記アプリケーション格納部に格納される前記アプリケーションをアクティブにする制御部と、
を有し、
前記第１の優先情報は、前記電化機器が連携動作させる携帯端末を指定する情報であり、
前記第２の優先情報は、前記電化機器が連携動作させる際の優先順位を示す情報である、携帯端末。
【請求項１２】
請求項１１記載の携帯端末において、
前記電化機器が送信した測定用電波を受信する受信部と、
前記受信部が受信した前記測定用電波の受信強度を測定する測定部と、
を有し、
前記優先情報記憶部が記録する前記第２の優先情報は、前記携帯端末から送信される前記測定部が測定した前記測定用電波の受信強度に基づいて、前記測定用電波の受信強度が強い前記携帯端末から順に優先順位が高くなるように前記電化機器が決定した情報である、携帯端末。
【請求項１３】
請求項１１記載の携帯端末において、
前記電化機器が送信した測定用電波を受信する受信部と、
前記受信部が受信した前記測定用電波の受信強度を測定して前記電化機器に送信する測定部と、
を有し、
前記優先情報記憶部が記録する前記第２の優先情報は、前記携帯端末から送信される前記測定部が測定した前記測定用電波の受信強度に基づいて前記携帯端末の位置を検出し、設定されたエリア内に位置する前記携帯端末の優先順位が最も高くなるように前記電化機器が決定した情報である、携帯端末。
【請求項１４】
請求項１１記載の携帯端末において、
前記電化機器が送信した測定用電波を受信する受信部と、
前記電化機器との連携動作を許可するか否かを示す許可情報を格納する属性情報記憶部と、
前記受信部が受信した前記測定用電波の受信強度を測定する測定部と、
を有し、
前記測定部は、前記測定用電波の受信強度を測定する際に、前記属性情報記憶部に格納される前記許可情報を取り込み、前記測定用電波の受信強度および前記許可情報を前記電化機器に送信し、
前記優先情報記憶部が記録する前記第２の優先情報は、前記許可情報に基づいて、連携動作が許可されている携帯端末であるかを認識し、連携動作が許可されている携帯端末から送信される前記測定用電波の受信強度に基づいて、前記携帯端末の位置を検出し、設定されたエリア内に位置する前記携帯端末の優先順位が最も高くなるように前記電化機器が決定した情報である、携帯端末。
【請求項１５】
請求項１２記載の携帯端末において、
前記受信部は、近距離無線通信によって前記測定用電波を受信する、携帯端末。
【発明の詳細な説明】
【技術分野】
【０００１】
本発明は、電化機器通信システム、携帯端末、および電化機器通信連携方法に関し、特に、電化機器と携帯端末との連携動作に有効な技術に関する。
【背景技術】
【０００２】
近年、スマートホンに例示される携帯端末は、家族全員が持つ時代となり、外出時、自宅時には常に身近に置いて手放せない端末となっている。このように、常にユーザの近くに存在する携帯端末は、アプリケーションを用いることによって、家庭内の電化機器製品の制御あるいは監視などができることが知られている。【０００３】
この種の携帯端末による電化製品の制御技術としては、例えば携帯端末を宅内に設置されている固定電話の子機にするものがある。携帯端末には、専用のアプリケーションがインストールされる。携帯端末と固定電話とは、例えば無線ＬＡＮなどによって接続される。【０００４】
また、携帯電話などによって電化製品をオン／オフさせる技術が知られている（例えば特許文献１参照）。この特許文献１の技術は、例えば携帯端末の位置情報を用いて、自宅に携帯端末が到着したことを検知すると、夜であれば自宅内のリビングの照明などがオンになる。
【先行技術文献】
【特許文献】
【０００５】
【特許文献１】特開２００１−２３１０８３号公報
【発明の概要】
【発明が解決しようとする課題】
【０００６】
しかし、上述した特許文献１の技術では、携帯端末に操作優先度を設定することができない。そのため、家庭内の全ての携帯端末に対して、予め固定的に動作を設定している電化機器製品が個々独立して起動してしまうことになり、現実的ではなく、個々携帯端末のユーザ毎に適したきめ細かい電化機器製品の制御、受話応答ができているとは言いがたい。【０００７】
また、携帯端末を固定電話の子機にする技術では、家族全ての携帯端末へ固定電話着信を配信してしまうことは効率的でない。小学生などの子供にも携帯端末を持たせている家庭では、固定電話にかかってきた電話は、子供の携帯端末にも着信の呼び出しがされてしまう。【０００８】
子供が携帯端末を有する場合、固定電話にかかってくる多くは、親に用事がある場合であると考えられ、特に勧誘電話などは、親が自宅にいる場合に子供が電話にでなくてもよい場合もある。【０００９】
本発明の目的は、家族内の個々携帯端末のユーザ毎あるいは自宅内のユーザの居場所に応じて電化機器と連携動作する携帯端末の優先度をダイナミックに切り替えることのできる技術を提供することにある。【００１０】
本発明の前記ならびにその他の目的と新規な特徴については、本明細書の記述および添付図面から明らかになるであろう。
【課題を解決するための手段】
【００１１】
本願において開示される発明のうち、代表的なものの概要を簡単に説明すれば、次のとおりである。【００１２】
すなわち、代表的な電化機器通信システムは、電化機器と、該電化機器と通信することによって連携動作する携帯端末とを備える。電化機器は、優先情報制御部および第１の通信部を有する。優先情報制御部は、携帯端末との連携動作を行う際に、携帯端末に連携動作を要求する連携情報および第１の優先情報を生成する。第１の通信部は、優先情報制御部が生成する連携情報および第１の優先情報を携帯端末に送信する。【００１３】
携帯端末は、優先情報記録部、アプリケーション格納部、制御部、および第２の通信部を有する。優先情報記録部は、携帯端末に設定される第２の優先情報を記録する。アプリケーション格納部は、電化機器との連係動作を行うアプリケーションを格納する。【００１４】
制御部は、第１の通信部から送信された第１の優先情報を受け取った際に、受け取った第１の優先情報と優先情報記録部に記録された第２の優先情報とが一致しているか否かを判定し、一致している場合にアプリケーション格納部に格納されるアプリケーションをアクティブにする。第２の通信部は、第１の通信部が送信する第１の優先情報を受信する。      【００１５】
第１の優先情報は、電化機器が連携動作させる携帯端末を指定する情報であり、第２の優先情報は、電化機器が連携動作させる際の優先順位を示す情報である
また、電化機器は、送信部および優先情報決定部を有する。送信部は、測定用電波を携帯端末に送信する。優先情報決定部は、第２の通信部によって送信された測定用電波の受信強度に基づいて、第２の優先情報を決定する。【００１６】
さらに、携帯端末は、受信部および測定部を有する。受信部は、送信部が送信した測定用電波を受信する。測定部は、受信部が受信した測定用電波の受信強度を測定する。優先情報決定部は、測定用電波の受信強度が強い携帯端末から順に優先順位が高くなるように第２の優先情報を決定する。優先情報記録部が記録する第２の優先情報は、優先情報決定部が決定した第２の優先情報である。
【発明の効果】
【００１７】
本願において開示される発明のうち、代表的なものによって得られる効果を簡単に説明すれば以下のとおりである。【００１８】
電化機器の利便性を向上させることができる。
【図面の簡単な説明】
【００１９】
【図１】実施の形態１による電化機器通信システムが有する携帯端末における構成の一例を示す説明図である。
【図２】実施の形態１による電化機器通信システムが有するドアホンホストにおける構成の一例を示す説明図である。
【図３】ドアホンホストおよび複数の携帯端末の位置関係の一例を示す説明図である。
【図４】図３の他の例を示す説明図である。
【図５】図１の携帯端末および図２のドアホンホストによる優先値を設定する処理の一例を示すフローチャートである。
【図６】図１の携帯端末および図２のドアホンホストによる呼び出し処理の一例を示すフローチャートである。
【図７】実施の形態２によるドアホンホストにおける構成の一例を示す説明図である。
【図８】ドアホンホストおよび複数の携帯端末の位置関係の一例を示す説明図である。
【図９】図８の他の例を示す説明図である。
【図１０】位置特定ユニットを有する電化機器通信システムによる優先値の設定処理の一例を示すフローチャートである。
【図１１】図１０の優先値の設定処理によって設定された携帯端末の呼び出し処理の一例を示すフローチャートである。
【図１２】実施の形態３によるドアホンホストおよび複数の携帯端末の位置関係の一例を示す説明図である。
【図１３】図９の他の例を示す説明図である。
【図１４】図１２の電化機器通信システムによる優先値の設定処理の一例を示すフローチャートである。
【図１５】図１２の電化機器通信システムによる呼び出し処理の一例を示すフローチャートである。
【発明を実施するための形態】
【００２０】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２１】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２２】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２３】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２４】
また、実施の形態を説明するための全図において、同一の部材には原則として同一の符号を付し、その繰り返しの説明は省略する。
【００２５】
以下、実施の形態を詳細に説明する。
【００２６】
（実施の形態１）
〈概要〉
電化機器通信システムは、電化機器および該電化機器を操作する携帯端末から構成される。携帯端末は、例えばスマートホンやタブレットなどであり、アプリケーションをメモリへ常駐させることにより、電化機器であるドアホンの子機端末、固定電話の子機端末、エアコンの操作端末、照明の操作端末、テレビの操作端末などのリモコンとして機能する。
【００２７】
そして、複数の携帯端末の優先度をダイナミックに変更する。特に、携帯端末の場所、携帯端末所有者の属性、あるいは携帯端末のアクティビティ状態などに応じて、携帯端末の操作権限の優先度をダイナミックに変更する。
【００２８】
〈携帯端末の構成例〉
図１は、本実施の形態１による電化機器通信システムが有する携帯端末における構成の一例を示す説明図である。
【００２９】
電化機器通信システムは、上述したように携帯端末によって宅内の電化機器製品の操作などを行うことのできるシステムである。電化機器通信システムは、図１に示す携帯端末１７および図２に示すドアホンホスト２８を有する。
【００３０】
なお、ここでは、電化製品は、一例としてドアホンホスト２８であり、携帯端末１７は、ドアホンホスト２８の子機となる例について説明する。また、ドアホンホスト２８の子機となる機能は、後述するアプリケーションＡＰ１によって実現する。
【００３１】
また、アプリケーションＡＰ１は、後述するように携帯端末１７のＣＰＵ１１によって実行される。また、アプリケーションＡＰ１は、インターネットなどの通信回線を介してダウンロードすることができる。あるいは予め携帯端末１７にインストールされている構成としてもよい。
【００３２】
また、携帯端末１７における機能は、アプリケーションＡＰ１に限定されるものではなく、他のアプリケーションを用いることによって、様々な電化製品を携帯端末１７にて操作することができる。
【００３３】
携帯端末１７は、例えばスマートホンなどであり、該スマートホンにインストールされるアプリケーションによってドアホンホストの子機となる例について説明する。なお、アプリケーションは、ドアホンホスト子機のアプリケーションに限定されることはなく、他の電化製品を携帯端末１７で操作するアプリケーションにおいても有効である。
【００３４】
携帯端末１７は、図１に示すように、優先値変更部１、優先値記憶部２、ＩＤ番号記憶部３、無線ＬＡＮ（Local Area Network）４、ＢＬＥ受信部５、アプリケーション格納部６、セレクト部９、メモリ１０、ＣＰＵ１１、マイク１２、スピーカ１３、入力部１５、および表示部１６を有する。
【００３５】
優先値変更部１は、携帯端末１７の優先値を変更する。優先情報記憶部である優先値記憶部２は、携帯端末１７の優先順位を示す優先値を格納する。優先値記憶部２に格納される優先値が第２の優先情報となる。ＩＤ番号記憶部３は、携帯端末の固有値を記憶する。
【００３６】
第２の通信部である無線ＬＡＮ４は、ＩＥＥＥ８０２．１１など技術規格に準拠した無線通信技術であり、無線によって音声や映像をやりとりする。ＢＬＥ受信部５は、近距離無線の受信部であり、無線通信は、例えばＢｌｕｅｔｏｏｔｈ（登録商標）などの技術を用いる。
【００３７】
アプリケーション格納部６は、アプリケーションを格納する。アプリケーションは、ユーザが任意で携帯端末１７にインストールするソフトウェアである。図１では、アプリケーションＡＰ１〜ＡＰｎが格納されている。
【００３８】
セレクト部９は、ＣＰＵ１１の制御に基づいてアプリケーション格納部６に格納されているアプリケーションＡＰ１〜ＡＰｎを選択する。メモリ１０は、例えばＲＡＭ（Random Access Memory）などの半導体メモリからなり、アプリケーションを常駐して動作させる。
【００３９】
ＣＰＵ１１は、携帯端末１７における動作を司るとともに、アプリケーション格納部６に格納されているアプリケーションＡＰ１〜ＡＰｎを実行する。このＣＰＵ１１は、制御部および測定部となる。マイク１２は、音声が入力される。スピーカ１３は、音声などを出力する。入力部１５は、情報が入力される。
【００４０】
表示部１６は、映像や情報などを表示するディスプレイである。ディスプレイは、例えばタッチパネルからなり、入力部１５は、該タッチパネルに表示される入力画面などからなる。
【００４１】
〈ドアホンホストの構成例〉
続いて、ドアホンホスト２８の構成について説明する。
【００４２】
図２は、本実施の形態１による電化機器通信システムが有するドアホンホスト２８における構成の一例を示す説明図である。
【００４３】
ドアホンホスト２８は、例えば玄関などに備え付けるドアホンである。ドアホンホスト２８は、図２に示すように、無線ＬＡＮ部１９、ＢＬＥ送信部２０、スピーカ２１、カメラ２２、メモリ２３、ＣＰＵ２４、優先値制御部２５、マイク２６、およびスイッチ２７を有する。
【００４４】
第１の通信部である無線ＬＡＮ部１９は、図１の無線ＬＡＮ４と同様に、ＩＥＥＥ８０２．１１など技術規格に準拠した無線通信技術であり、無線によって音声や映像をやりとりする。ＢＬＥ送信部２０、近距離無線の送信部であり、例えばＢｌｕｅｔｏｏｔｈなどの技術を用いる。
【００４５】
スピーカ２１は、音声を出力する。カメラ２２は、例えば訪問者などの映像を撮影する。メモリ２３は、ドアホンホスト２８の動作プログラムなどが格納される。ＣＰＵ２４は、動作プログラムに基づいて、ドアホンホスト２８の動作を司る。
【００４６】
優先情報制御部および優先情報決定部となる優先値制御部２５は、優先値が高い携帯端末１７を決定する。マイク２６は、音声を入力する。スイッチ２７は、ドアホンホスト２８の呼び鈴などを鳴らすコールスイッチである。
【００４７】
〈電化機器通信システムの基本動作例〉
次に、図１の携帯端末１７の動作および図２のドアホンホスト２８の動作について説明する。
【００４８】
ここでは、アプリケーションによって携帯端末１７をドアホン子機として動作させる際の基本動作について説明する。なお、アプリケーションＡＰ１が携帯端末１７をドアホン子機として動作させるアプリケーションであるものとする。携帯端末１７は、アプリケーションＡＰ１がアクティブとなることによって、ドアホンホスト２８との連携動作が行われる。
【００４９】
まず、ＣＰＵ１１は、セレクト部９に制御信号を出力して、ドアホン子機として機能させるアプリケーションであるアプリケーションＡＰ１を選択する。セレクト部９に選択されたアプリケーションＡＰ１は、メモリ１０に格納される。アプリケーションＡＰ１がメモリ１０に格納されると、ＣＰＵ１１は、該アプリケーションＡＰ１を起動する。
【００５０】
ドアホンホスト２８のスイッチ２７が押されることによって、ドアホンホスト２８の無線ＬＡＮ１９から無線にて無線ＬＡＮ部４に呼び出し信号が送信される。アプリケーションＡＰ１は、後述する優先値に合致していればスピーカ１３から呼び出し音が出力されるとともに、表示部１６に着信表示が表示される。
【００５１】
そして、ユーザが入力部１５より着信受話ボタンを入力すると、ドアホンホスト２８は、無線ＬＡＮ１９から無線送信によってカメラの映像を送信する。ＣＰＵ１１は、無線ＬＡＮ４が受信したカメラ２２からの映像をデコード処理して表示部１６に表示する。カメラ２２は、ドアホンホスト２８が有するカメラであり、例えば訪問者などの映像を撮影する。
【００５２】
ドアホンホスト２８から音声が入力された際には、無線ＬＡＮ１９が音声信号を無線送信する。ＣＰＵ１１は、無線ＬＡＮ部４が受信した無線送信された音声信号をデコードしてスピーカ１３から出力する。音声信号は、ドアホンホスト２８が有するマイク２６から入力される。一方、マイク１２から入力された音声信号は、ＣＰＵ１１にてエンコード処理され、無線ＬＡＮ部４よりドアホンホスト２８に送信される。
【００５３】
続いて、図２のドアホンホスト２８における動作について説明する。
【００５４】
玄関などに取り付けられたドアホンホスト２８は、訪問者によりスイッチ２７が操作されて呼び出し動作を開始する。これによって、上述したように、携帯端末１７のスピーカ１３から呼び出し音が出力されるとともに、表示部１６に着信表示が表示される。
【００５５】
優先値制御部２５は、優先値の高い携帯端末１７を呼び出すために、呼び出し信号に優先値１の情報を重畳して、無線ＬＡＮ１９から該優先値１の情報を送信する。これによって、優先値１の携帯端末１７が応答すると、ＣＰＵ２４は、呼び出し動作を停止し、カメラ２２が撮影した映像信号およびマイク２６が取得した音声信号をエンコードする。エンコードされた信号は、無線ＬＡＮ１９からそれぞれ送信される。また、ＣＰＵ２４は、携帯端末１７から送信された音声信号をデコード処理してスピーカ１３から出力する。
【００５６】
続いて、自宅などに複数の携帯端末１７がある場合のドアホンホスト２８および携帯端末１７による動作について説明する。
【００５７】
〈携帯端末の優先値設定および呼び出し動作〉
以下、ドアホンホスト２８から複数台の携帯端末１７に対する呼び出し、および通信の優先値の割り付けの具体的例を先に説明し、その実現構成について説明する。ここでも、スマートホンなどからなる携帯端末１７は、ドアホンホスト２８の子機として使用される。
【００５８】
なお、以下に説明する優先値の割り付け処理および呼び出し処理は、携帯端末１７およびドアホンホスト２８にそれぞれ設けられた図示しないプログラム格納メモリなどに記憶されているプログラム形式のソフトウェアに基づいて、各機能の処理を実行するものとする。
【００５９】
これらのソフトウェアは、携帯端末１７のＣＰＵ１１およびドアホンホスト２８のＣＰＵ２４によって実行される。また、上記の機能を実行するソフトウェアは、インターネットなどの通信回線を介してダウンロードすることができる。あるいは予め携帯端末１７およびドアホンホスト２８にインストールされている構成としてもよい。
【００６０】
図３は、ドアホンホスト２８および複数の携帯端末１７の位置関係の一例を示す説明図である。また、図４は、図３の他の例を示す説明図である。
【００６１】
これら図３、図４においては、例えば４台の携帯端末１７ａ〜１７ｄが自宅３７内にあるものとしており、これら携帯端末１７ａ〜１７ｄは、家族が個々に所有するものである。自宅３７は、例えば２階戸建てである。
【００６２】
家族構成は、例えば父、母、姉、および妹とする。携帯端末１７ａは、父が所有するものであり、携帯端末１７ｂは、姉が所有するものであり、携帯端末１７ｃは、妹が所有するものであり、携帯端末１７ｄは、母が所有するものであるとする。ドアホンホスト２８は、上述したようにドアホンであり、玄関などに設置されているものとする。
【００６３】
図３において、自宅３７にある４台の携帯端末１７ａ〜１７ｄの位置関係は、自宅３７の２階に父の携帯端末１７ａ、姉の携帯端末１７ｂ、および妹の携帯端末１７ｃがあり、１階には、母の携帯端末１７ｄがあるものとする。
【００６４】
この場合、ドアホンホスト２８からの呼び出される優先値は、玄関に近い携帯端末から順に呼び出し優先値を高く設定する構成とする。ここで、優先値としては、例えば数値が小さい方を優先度が高いものとする。
【００６５】
このように、ドアホンホスト２８に最も近くに位置する携帯端末を呼び出すことによって、突然の訪問者への応対を素早く実施することが可能となる。
【００６６】
ここで、ドアホンホスト２８に最も近くに位置する携帯端末の優先値を高く設定するルールを図３に示す自宅３７内の携帯端末１７ａ〜１７ｄの位置関係を当てはめると、優先値１が携帯端末１７ｄ、優先値２が携帯端末１７ａ、優先値３が携帯端末１７ｂ、そして最も低い優先値４が携帯端末１７ｃの順となる。
【００６７】
訪問者がドアホンホスト２８のスイッチ２７を押すと、該ドアホンホスト２８は、まず、優先値１の携帯端末１７ｄを呼び出す。始めに訪問者が１回以上、スイッチ２７を押すことによって、携帯端末１７ｄに対する呼び出し動作は、繰り返し実行される。
【００６８】
携帯端末１７ｄが、例えば３回の呼び出しに応答しなかった場合、続いて優先値２の携帯端末１７ａの呼び出しが開始される。携帯端末１７ａにおいても３回の呼び出しに応答しなかった場合には、優先値３の携帯端末１７ｂの呼び出しが開始される。携帯端末１７ｂが例えば３回の呼び出しに応答しなかった場合には、最後に優先値４の携帯端末１７ｃの呼び出しが開始される。
【００６９】
続いて、携帯端末１７ｂが、図３に示した位置関係から図４に示すように、自宅３７の２階から１階に移動した場合について説明する。
【００７０】
自宅３７内において、携帯端末１７ａ〜１７ｄが移動した場合には、携帯端末１７ａ〜１７ｄに対する優先値の再割り付けが実施される。よって、携帯端末１７ｂが１階に移動した際には、携帯端末１７ａ〜１７ｄに対する優先値の再割り付けが実施される。
【００７１】
上述したドアホンホスト２８に近い携帯端末順に優先値を設定するルールを適用すると、図４の場合には、優先値１が携帯端末１７ｄ、優先値２が携帯端末１７ｂ、優先値３が携帯端末１７ａ、および優先値４が携帯端末１７ｃの順に設定される。優先値の再割り付け後においても、ドアホンホスト２８が優先値に応じて呼び出しを行う動作については、図３と同様である。
【００７２】
このように、自宅３７内の携帯端末１７ａ〜１７ｄの移動に応じて各々の携帯電話の優先値をダイナミックに変更することができる。これにより、常にドアホンホスト２８に近い携帯端末から順に呼び出しが行われるので、呼び出しを効率よく行うことができる。
【００７３】
続いて、携帯端末１７の位置検出技術について説明する。
【００７４】
携帯端末１７ａ〜１７ｄの位置は、近距離無線サービスエリア３６によって認識される。この近距離無線サービスエリア３６は、後述するＢＬＥ送信部２０およびＢＬＥ受信部５による近距離無線通信を行うことのできるエリアである。
【００７５】
図２において説明したように、ドアホンホスト２８は、音声信号および映像信号を無線通信によってやり取りする無線ＬＡＮ１９と近距離無線通信を行うＢＬＥ送信部２０とを有する。
【００７６】
また、図１の携帯端末１７においても、無線ＬＡＮ１９と無線通信する無線ＬＡＮ４およびＢＬＥ送信部２０が送信した送信信号を受信するＢＬＥ受信部５を有する。
【００７７】
これらはいずれも無線通信技術であるが、無線ＬＡＮ４，１９の場合には、図３の自宅３７内のエリアは完全に包含する電界強度をそれぞれ有する。一方、ＢＬＥ送信部２０は、近距離用の無線通信技術であって、例えばＢｌｕｅｔｏｏｔｈのような電界強度が低い電波を送信するものである。
【００７８】
このように、Ｂｌｕｅｔｏｏｔｈのような電界強度が低い電波を送信することで、自宅３７内の狭域のエリアを特定する電界網、すなわち上述した近距離無線サービスエリア３６を自宅３７内に構築する。
【００７９】
ドアホンホスト２８のＢＬＥ送信部２０から送信された、例えばＢｌｕｅｔｏｏｔｈのような電界強度が低いＢｌｕｅｔｏｏｔｈ波を携帯端末１７のＢＬＥ受信部５が受信すると、ＣＰＵ１１は、その受信強度、言い換えれば電界強度を測定する。
【００８０】
測定した受信強度は、無線ＬＡＮ４，１９を介してドアホンホスト２８に送信する。ドアホンホスト２８のＣＰＵ２４は、受け取った受信強度に応じてドアホンホスト２８からの距離を検出する。
【００８１】
〈優先値の設定処理例〉
以下、図３および図４にて説明した動作を実現する処理について図５および図６を用いて説明する。
【００８２】
図５は、図１の携帯端末１７および図２のドアホンホスト２８による優先値を設定する処理の一例を示すフローチャートである。図６は、図１の携帯端末１７および図２のドアホンホスト２８による呼び出し処理の一例を示すフローチャートである。
【００８３】
まず、各々の携帯端末１７に対する優先値の割り付け処理について説明する。この図５において、ドアホンホスト２８側における処理の主体はＣＰＵ２４であり、携帯端末１７側の処理の主体はＣＰＵ１１である。
【００８４】
図５において、まず、無線ＬＡＮ通信によって、ドアホンホスト２８は、Ｗｉｆｉ無線接続がされている携帯端末の台数と個々の携帯端末のＩＤ情報を取得する（ステップＳ１０１）。
【００８５】
携帯端末のＩＤ情報は、例えばＭＡＣ（Media Access Control）アドレスなどである。ＭＡＣアドレスは、ネットワーク接続機器、すなわち携帯端末毎に割り当てられる識別番号である。
【００８６】
続いて、ドアホンホスト２８にＷｉｆｉ通信にて接続されている各々の携帯端末１７ａ〜１７ｄは、ドアホンホスト２８から送信される近距離無線、すなわちＢｌｕｅｔｏｏｔｈ波を受信して、その受信強度を計測する（ステップＳ１０２）。
【００８７】
各々の携帯端末１７ａ〜１７ｄは、Ｗｉｆｉ通信を用いて測定したＢｌｕｅｔｏｏｔｈ波の受信強度の値をドアホンホスト２８に報告する（ステップＳ１０３）。ドアホンホスト２８は、携帯端末１７ａ〜１７ｄから報告される受信強度の値に基づいて、その受信強度の値が高い順に携帯端末１７ａ〜１７ｄにおける優先値をそれぞれ決定する（ステップＳ１０４）。この優先値の決定は、図２の優先値制御部２５にて実行される。
【００８８】
ステップＳ１０４の処理により、携帯端末１７ａ〜１７ｄの優先値がそれぞれ決定すると、ドアホンホスト２８は、携帯端末１７ａ〜１７ｄのＩＤ情報であるＭＡＣアドレスを指標として、携帯端末１７ａ〜１７ｄに決定した優先値をＷｉｆｉ通信によってそれぞれ送信する（ステップＳ１０５）。
【００８９】
各々の携帯端末１７ａ〜１７ｄは、図１の無線ＬＡＮ部４によってＷｉｆｉ通信にて送られてきた優先値をそれぞれ受信する。図１の優先値変更部１は、受信したＭＡＣアドレスに対応する優先値を認識して、図１の優先値記憶部２に、該優先値を記録する（ステップＳ１０６）。
【００９０】
以上の処理によって、ドアホンホスト２８から近い距離にある携帯端末順に優先値が設定される。これによって、ドアホンホスト２８に近い距離にある携帯端末の優先値が高くなるように、該優先値をダイナミックに変更することができる。
【００９１】
〈呼び出し処理例〉
次に、優先値が設定された携帯端末１７ａ〜１７ｄに対するドアホンホスト２８からの呼び出し処理について、図６のフローチャートを用いて説明する。
【００９２】
まず、ドアホンホスト２８の呼び出しスイッチである図２のスイッチ２７が訪問者などに操作されると（ステップＳ２０１）、ドアホンホスト２８は、携帯端末１７ａ〜１７ｄに対して訪問者がスイッチ２７を操作したことを知らせる呼び出し情報を無線ＬＡＮ１９から送信する。この呼び出し情報が連係情報となる。
【００９３】
この呼び出し情報には、前述したように優先値１の携帯端末を呼び出すための情報が重畳されている。すなわち、優先値１の携帯端末を呼び出す場合、呼び出し情報には、優先値１が重畳される。この呼び出し情報に重畳される優先値１が第１の優先情報となる。
【００９４】
呼び出し情報を受信した携帯端末１７ａ〜１７ｄは、優先値記憶部２に格納されている優先値をそれぞれ確認する。そして、優先値１が設定されている携帯端末、図３では携帯端末１７ｄは、優先値が１であることを認識すると、ドアホン子機となる機能を有するアプリケーションＡＰ１をアクティブにする。これによって、携帯端末１７ｄの表示部１６には、ドアホンホスト２８からの呼び出し画面を表示するとともに、スピーカ１３から呼び出し音を出力する（ステップＳ２０２）。
【００９５】
そして、優先値１の携帯端末１７ｄによる応答がない場合、ドアホンホスト２８は、優先値１の携帯端末１７ｄへの呼び出し動作を継続しながら、優先値２の携帯端末である図３の携帯端末１７ａに対して呼び出し情報を送信する（ステップＳ２０３）。
【００９６】
優先値１の携帯端末１７ｄによる応答は、例えば呼び出しを３回行っても応答がない場合に応答がないと判定する。以下、携帯端末１７ａ〜１７ｃにおいても、例えば呼び出しを３回行っても応答がない場合に応答がないと判定する。なお、この応答回数は任意である。
【００９７】
呼び出し情報を受信した携帯端末１７ａ〜１７ｃは、優先値記憶部２に格納されている優先値をそれぞれ確認する。優先値２が設定されている携帯端末１７ａは、優先値が２であることを認識すると、アプリケーションＡＰ１をアクティブとする。
【００９８】
これによって、携帯端末１７ａの表示部１６には、ドアホンホスト２８からの呼び出し画面を表示するとともに、スピーカ１３から呼び出し音を出力する（ステップＳ２０４）。
【００９９】
また、優先値２の携帯端末１７ａの応答が確認できなかった場合は、ドアホンホスト２８は、優先値１の携帯端末１７ｄおよび優先値２の携帯端末１７ａへの呼び出し動作を継続しながら、優先値３の携帯端末である図３の携帯端末１７ｂに対して呼び出し情報を送信する（ステップＳ２０５）。
【０１００】
呼び出し情報を受信した携帯端末１７ｃ，１７ｄは、優先値記憶部２に格納されている優先値をそれぞれ確認する。優先値３が設定されている携帯端末１７ｂは、優先値が３であることを認識すると、アプリケーションＡＰ１をアクティブとする。
【０１０１】
これによって、携帯端末１７ｂの表示部１６には、ドアホンホスト２８からの呼び出し画面を表示するとともに、スピーカ１３から呼び出し音を出力する（ステップＳ２０６）。
【０１０２】
同様に、優先値３の携帯端末１７ｂの応答が確認できなかった場合、ドアホンホスト２８は、携帯端末１７ｄ，１７ａ，１７ｂへの呼び出し動作を継続しながら、優先値４の携帯端末である図３の携帯端末１７ｃに対して呼び出し情報を送信する（ステップＳ２０７）。
【０１０３】
呼び出し情報を受信した携帯端末１７ｃは、優先値記憶部２に格納されている優先値を確認する。優先値４が設定されている携帯端末１７ｃは、優先値が４であることを認識すると、アプリケーションＡＰ１をアクティブとする。これによって、携帯端末１７ｃの表示部１６には、ドアホンホスト２８からの呼び出し画面を表示するとともに、スピーカ１３から呼び出し音を出力する（ステップＳ２０８）。
【０１０４】
これにより、携帯端末１７ａ〜１７ｄへの呼び出し処理が終了となる。
【０１０５】
以上により、ドアホンホスト２８に距離が近い携帯端末の呼び出しを優先的に行うことができる。それにより、玄関に最も近い携帯端末から順に呼び出しに対応することができるので、突然の訪問者に素早く応対することが可能となる。
【０１０６】
また、優先値を携帯端末の移動に合わせてダイナミックに変更することができるので、いつでもドアホンホスト２８に近い位置にある携帯端末から順に呼び出しを行うことができる。それにより、自宅３７を移動した場合であっても、効率よく訪問者の応対を行うことができる。
【０１０７】
（実施の形態２）
〈概要〉
前記実施の形態１では、携帯端末の優先値を決定する指標として、ドアホンホスト２８から各携帯端末までの距離をＢｌｕｅｔｏｏｔｈ波の受信強度を指標として決定する技術について説明した。本実施の形態２においては、特定の部屋にある携帯端末に対して優先値を高く設定する技術について説明する。
【０１０８】
〈電化機器通信システムの構成例〉
この実施の形態２において、電化機器通信システムの構成は、図１の携帯端末１７および図２のドアホンホスト２８に、後述する図８および図９に示す位置特定ユニット４０が新たに設けられた構成となっている。携帯端末１７の構成については、前記実施の形態１の図１と同様であるので、説明は省略する。
【０１０９】
〈ドアホンホストの構成例〉
図７は、本実施の形態２によるドアホンホスト２８における構成の一例を示す説明図である。
【０１１０】
図７のドアホンホスト２８が、前記実施の形態１の図２のドアホンホスト２８と異なるところは、図２のドアホンホスト２８が有するＢＬＥ送信部２０がなくなっている点である。その他の構成については、前記実施の形態１の図２と同様であるので、説明は省略する。
【０１１１】
位置特定ユニット４０は、近距離無線サービスエリア３６を特定するためのビーコンを発生するユニットである、近距離無線サービスエリア３６は、例えば自宅３７内の数ｍから数十ｍ程度の狭域のエリアからなる。このビーコンは、ＢＬＥ送信部４１から送信されるＢｌｕｅｔｏｏｔｈなどの電界強度が低い電波である。
【０１１２】
位置特定ユニット４０は、例えば自宅３７の１階に設置される。そして、位置特定ユニット４０が発生するビーコンを検出することで、１階にいることを携帯端末側にて認識する。
【０１１３】
〈携帯端末の優先値設定および読み出し動作〉
図８は、ドアホンホスト２８および複数の携帯端末１７の位置関係の一例を示す説明図である。また、図９は、図８の他の例を示す説明図である。
【０１１４】
これら図８および図９においては、前記実施の形態１の図３、図４と同様に、４台の携帯端末１７ａ〜１７ｄが自宅３７内にあり、これら携帯端末１７ａ〜１７ｄは、家族が個々に所有するものである。自宅３７は、例えば２階戸建てである。
【０１１５】
また、携帯端末１７ａは、父が所有するものであり、携帯端末１７ｂは、姉が所有するものであり、携帯端末１７ｃは、妹が所有するものであり、携帯端末１７ｄは、母が所有するものであるとする。ドアホンホスト２８は、上述したようにドアホンであり、玄関などに設置されているものとする。
【０１１６】
ここでも、以下に説明する優先値の割り付け処理および呼び出し処理は、携帯端末１７およびドアホンホスト２８にそれぞれ設けられた図示しないプログラム格納メモリなどに記憶されているプログラム形式のソフトウェアに基づいて、各機能の処理を実行するものとする。
【０１１７】
これらのソフトウェアは、携帯端末１７のＣＰＵ１１およびドアホンホスト２８のＣＰＵ２４によって実行される。また、上記の機能を実行するソフトウェアは、インターネットなどの通信回線を介してダウンロードすることができる。あるいは予め携帯端末１７およびドアホンホスト２８にインストールされている構成としてもよい。
【０１１８】
図８において、自宅３７にある４台の携帯端末１７ａ〜１７ｄの位置関係は、自宅３７の２階に父の携帯端末１７ａ、姉の携帯端末１７ｂ、妹の携帯端末１７ｃがあり、１階には、母の携帯端末１７ｄがあるものとする。
【０１１９】
この時、ドアホンホスト２８から呼び出される順序を決める優先値として、１階にある携帯端末の優先値を高くして、２階にある携帯端末については、その次の優先値とし、それらは同列に設定される。こうすることによって、玄関に近い１階に位置する携帯端末が最初に呼び出されるので、突然の訪問者への応対を素早く実施することができる。
【０１２０】
上記した、優先値の設定ルールを図８の位置関係を当てはめると、優先値１が１階にある携帯端末１７ｄとなり、優先値２が２階にある携帯端末１７ａ，１７ｂ，１７ｃとなる。
【０１２１】
訪問者がドアホンホスト２８のスイッチ２７を押すと、ドアホンホスト２８は、最初に優先値１の携帯端末１７ｄを呼び出す。この時、訪問者が１回以上のスイッチを押ことで、携帯端末１７ｄに対して繰り返しの呼び出しが実行される。
【０１２２】
携帯端末１７ｄが３回の呼び出しで応答しなかった場合、ドアホンホスト２８は、優先値２の携帯端末、すなわち携帯端末１７ａ，１７ｂ，１７ｃに対する呼び出しが開始される。
【０１２３】
また、４台の携帯端末１７ａ〜１７ｄの優先値が設定された状態にて、いずれかの携帯端末が１階から２階に、あるいは２階から１階に移動した場合には、携帯端末１７ａ〜１７ｄに対する優先値の再割り付けが実施される。
【０１２４】
図９では、図８に示した４台の携帯端末１７ａ〜１７ｄの優先値が設定された状態にて、姉の携帯端末１７ｄが１階へ移動した場合を示している。
【０１２５】
前述した自宅３７の１階にある携帯端末の優先度が高くなるように優先値を設定するルールを適用すると、図９に示すように、優先値１が携帯端末１７ｄ，１７ｂとなり、優先値２が携帯端末１７ａ，１７ｃとなるように設定される。
【０１２６】
優先値の再割り付け後においても、ドアホンホスト２８からの優先値に応じた呼び出し動作は、前記実施の形態１と同様の動作であり、ここでの呼び出し動作の説明は省略する。
【０１２７】
このように、携帯端末１７ａ〜１７ｄが自宅３７内の特定エリアに移動した際に、ダイナミックに優先値を変更することができる。それにより、常にドアホンホスト２８から各々の携帯端末１７ａ〜１７ｄの呼び出しを効率よく行うことができる。なお、特定エリアとは、位置特定ユニット４０が設置された近距離無線サービスエリア３６であり、図８、図９では、１階となる。
【０１２８】
〈優先値の設定処理例〉
図１０は、位置特定ユニット４０を有する電化機器通信システムによる優先値の設定処理の一例を示すフローチャートである。
【０１２９】
まず、無線ＬＡＮ通信によって、ドアホンホスト２８は、Ｗｉｆｉ無線接続がされている携帯端末の台数と個々の携帯端末のＩＤ情報を取得する（ステップＳ３０１）。携帯端末のＩＤ情報は、例えばＭＡＣ（Media Access Control）アドレスなどである。
【０１３０】
続いて、各々の携帯端末１７ａ〜１７ｄは、受信強度を判定する（ステップＳ３０２）。このステップＳ３０２の処理では、位置特定ユニット４０のＢＬＥ送信部４１から送信されるＢｌｕｅｔｏｏｔｈ波を受信して、その受信強度をＣＰＵ１１が計測する。
【０１３１】
そして、ＣＰＵ１１は、計測した受信強度が設定されたしきい値以上であるか否かを判定する。受信強度がしきい値以上の場合には、近距離無線サービスエリア３６内、すなわち自宅３７の１階に位置していると判定する。また、受信強度がしきい値を下回った場合には、近距離無線サービスエリア３６の範囲外、すなわち自宅３７の２階に位置していると判定する。
【０１３２】
そして、各携帯端末１７ａ〜１７ｄは、ドアホンホスト２８に対してＷｉｆｉ通信を行い、自身の携帯端末が自宅３７の１階に位置しているか否かの情報を報告する（ステップＳ３０３）。
【０１３３】
ドアホンホスト２８は、各々の携帯端末１７ａ〜１７ｄから報告される情報に基づいて、図２の優先値制御部２５にて、近距離無線サービスエリア３６内、すなわち自宅３７の１階に位置している携帯端末を最優先として優先値１に設定する（ステップＳ３０４）。
【０１３４】
ドアホンホスト２８は、すべての携帯端末１７ａ〜１７ｄの優先値を決定すると、携帯端末１７ａ〜１７ｄのＩＤ情報であるＭＡＣアドレスを指標として、各々の携帯端末１７ａ〜１７ｄに決定した優先値をＷｉｆｉ通信にて送信する（ステップＳ３０５）。
【０１３５】
各々の携帯端末１７ａ〜１７ｄは、図１の無線ＬＡＮ部４によってＷｉｆｉ通信にて送られてきた優先値をそれぞれ受信する。図１の優先値変更部１は、受信したＭＡＣアドレスに対応する優先値を認識して、図１の優先値記憶部２に該優先値を記録する（ステップＳ３０６）。
【０１３６】
以上の処理によって、自宅３７の１階にある携帯端末１７を優先的に呼び出すように優先値を設定することができる。
【０１３７】
〈呼び出し処理例〉
次に、優先値が設定された携帯端末１７ａ〜１７ｄに対するドアホンホスト２８からの呼び出し処理について、図１１のフローチャートを用いて説明する。
【０１３８】
図１１は、図１０の優先値の設定処理によって設定された携帯端末の呼び出し処理の一例を示すフローチャートである。
【０１３９】
まず、ドアホンホスト２８の呼び出しスイッチである図７のスイッチ２７が訪問者などに操作されると（ステップＳ４０１）、ドアホンホスト２８は、携帯端末１７ａ〜１７ｄに対して訪問者がスイッチ２７を操作したことを知らせる呼び出し情報を無線ＬＡＮ１９から送信する。
【０１４０】
携帯端末１７ａ〜１７ｄは、優先値１の携帯端末を呼び出すための情報が重畳されている呼び出し情報を受信すると、優先値記憶部２に格納されている優先値をそれぞれ確認する。
【０１４１】
そして、優先値１が設定されている携帯端末、図８では携帯端末１７ｄは、優先値が１であることを認識すると、ドアホン子機となるアプリケーションＡＰ１をアクティブにする。これによって、携帯端末１７ｄの表示部１６には、ドアホンホスト２８からの呼び出し画面を表示するとともに、スピーカ１３から呼び出し音を出力する（ステップＳ４０２）。
【０１４２】
優先値１の携帯端末１７ｄによる応答がない場合、ドアホンホスト２８は、優先値１の携帯端末１７ｄへの呼び出し動作を継続しながら、優先値２の携帯端末である図３の携帯端末１７ａ，１７ｂ，１７ｃに対して呼び出し情報を送信する（ステップＳ４０３）。ここでも、優先値１の携帯端末１７ｄの呼び出しは、例えば３回とする。
【０１４３】
呼び出し情報を受信した携帯端末１７ａ〜１７ｃは、優先値記憶部２に格納されている優先値をそれぞれ確認する。図８では、２階にある携帯端末１７ａ〜１７ｃに優先値２がそれぞれ設定されているので、これら携帯端末１７ａ〜１７ｃは、優先値が２であることを認識すると、アプリケーションＡＰ１をそれぞれアクティブとする。
【０１４４】
これによって、携帯端末１７ａ〜１７ｃは、表示部１６にドアホンホスト２８からの呼び出し画面をそれぞれ表示するとともに、スピーカ１３から呼び出し音をそれぞれ出力する（ステップＳ４０４）。
【０１４５】
これにより、携帯端末１７ａ〜１７ｄへの呼び出し処理が終了となる。
【０１４６】
以上により、ドアホンホスト２８に距離が近い携帯端末の呼び出しを優先的に行うことができる。それにより、玄関に最も近い携帯端末から順に呼び出しに対応することができるので、突然の訪問者に素早く応対することが可能となる。
【０１４７】
自宅３７の１階に設置される位置特定ユニット４０は、ＢＬＥ送信部４１から常時Ｂｌｕｅｔｏｏｔｈ波を出力しており、自宅３７内すべての携帯端末は、そのＢｌｕｅｔｏｏｔｈ波を常時受信している。したがって、携帯端末の移動が発生した場合、該携帯端末が自宅３７の１階から２階に、あるいは２階から１階に移動した際に、ドアホンホスト２８に対して移動した旨をＷｉｆｉ通信にてドアホンホスト２８に送信する。
【０１４８】
１階から２階に、あるいは２階から１階に移動したことの判定は、図１０のステップＳ３０２の処理と同様に、Ｂｌｕｅｔｏｏｔｈ波の受信強度がしきい値以上であるかまたはしきい値を下回っているかによって判定する。
【０１４９】
ドアホンホスト２８は、携帯端末から移動したことの報告を契機に、再度、優先値の割り付け処理を実施する。この優先値の再割り付け処理は、図１０と同様の処理であるので、説明は省略する。
【０１５０】
以上、位置特定ユニット４０を自宅３７の任意の場所に設置することにより、任意の場所にある携帯端末をドアホンホスト２８が常に認識することができる。それによって、任意の場所にある携帯端末が優先的に呼び出されるので、突然の訪問者に対しても素早く応対が可能となる。
【０１５１】
ここで、任意の場所は、例えば自宅３７の１階などのドアホンホスト２８の設置場所に近いところに設定することが有効である。ドアホンホスト２８の設置場所に近いところに位置する携帯端末を優先的に呼び出しすることによって素早い応対を行うことができる。
【０１５２】
（実施の形態３）
〈概要〉
前記実施の形態１，２では、自宅内の携帯端末の場所に応じてダイナミックに且つリアルタイムにて携帯端末の優先度を変更する技術について説明した。本実施の形態３においては、例えば子供／大人などの携帯端末ユーザの要件および携帯端末の自宅内の位置の要件を組み合わせた情報を指標として、携帯端末の優先値を決定する技術について説明する。
【０１５３】
訪問者は、必ずしも知人、友達、あるいは宅配、郵便などの安全な訪問者であるとは限らない。例えば商品の勧誘、押し売り業者などの危険な訪問者の可能性がある。また、訪問者は、家族のうち、母、父に関係するケースが多い。
【０１５４】
これらのドアホン利用背景を鑑みると、携帯端末へのドアホンの子機アプリケーションとしての優先値設定は、携帯端末の固有情報、すなわち持ち主も優先度を決定するパラメータとすることで、ドアホン活用を安心安全且つ利便性を向上することができる。
【０１５５】
〈固有情報による優先値の設定例〉
以下、優先値の設定に携帯端末の固有情報をパラメータとして設定する技術について図１２〜図１５を用いて説明する。
【０１５６】
ここでも、以下に説明する優先値の割り付け処理は、携帯端末１７およびドアホンホストにそれぞれ設けられた図示しないプログラム格納メモリなどに記憶されているプログラム形式のソフトウェアに基づいて、各機能の処理を実行するものとする。
【０１５７】
これらのソフトウェアは、携帯端末１７のＣＰＵ１１およびドアホンホスト２８のＣＰＵ２４によってそれぞれ実行される。また、上記の機能を実行するソフトウェアは、インターネットなどの通信回線を介してダウンロードすることができる。あるいは予め携帯端末１７およびドアホンホスト２８にインストールされている構成としてもよい。
【０１５８】
本実施の形態３による電化機器通信システムにおける構成は、前記実施の形態２の図８と同様であるので説明は省略する。また、携帯端末１７の構成は、前記実施の形態１の図１と同様であり、ドアホンホスト２８の構成は、前記実施の形態２の図７と同様である。
【０１５９】
図１２は、本実施の形態３によるドアホンホスト２８および複数の携帯端末１７の位置関係の一例を示す説明図である。また、図１３は、図９の他の例を示す説明図である。
【０１６０】
図１２および図１３においても、前記実施の形態２の図８および図９と同様に、４台の携帯端末１７ａ〜１７ｄが自宅３７内にあり、これら携帯端末１７ａ〜１７ｄは、家族が個々に所有する。自宅３７は、例えば２階戸建てである。
【０１６１】
また、携帯端末１７ａは、父が所有するものであり、携帯端末１７ｂは、姉が所有するものであり、携帯端末１７ｃは、妹が所有するものであり、携帯端末１７ｄは、母が所有するものであるとする。ドアホンホスト２８は、上述したようにドアホンであり、玄関などに設置されているものとする。
【０１６２】
図１２において、自宅３７にある４台の携帯端末１７ａ〜１７ｄの位置関係は、自宅３７の２階に父の携帯端末１７ａ、姉の携帯端末１７ｂ、妹の携帯端末１７ｃがあり、１階には、母の携帯端末１７ｄがあるものとする。
【０１６３】
本実施の形態３の場合、ドアホンホスト２８からの呼び出される優先値としては、１階にある携帯端末から順に呼び出し優先値を高く設定するルールに加えて、携帯端末１７ｂ、携帯端末１７ｃの優先値を低く、あるいはドアホンホスト２８の子機端末としての呼び出し、受話の権利を与えない設定とする。こうすることによって、不意な訪問者、あるいは勧誘、押し売り、不審者から子供達の安全を守ることができる。
【０１６４】
ここで、自宅３７の１階に位置する携帯端末の優先値を高くしながら、子供たち（姉、妹）の携帯端末にドアホンホスト２８の子機機能の権利を与えないルールを、図１２の位置関係に当てはめる。
【０１６５】
この場合、図１２に示すように、優先値１が１階にある母の携帯端末１７ｄとなり、優先値２が２階にある父の携帯端末１７ａとなる。また、姉の携帯端末１７ｂおよび妹の携帯端末１７ｃは、優先値が設定されない。
【０１６６】
図１に示す携帯端末１７におけるＩＤ番号記憶部３には、携帯端末の固有情報が格納される。携帯端末の利用者の対応付けは、ユーザが入力部１５から利用者の属性、例えば大人であるか子供であるかなどの情報を入力する。この属性は、ＩＤ番号記憶部３に固有情報として格納される。
【０１６７】
訪問者がドアホンホスト２８のスイッチ２７を押すと、最初に優先値１の携帯端末１７ｄを呼び出す。この時、訪問者は１回以上のスイッチ２７を押すことで、ドアホンホスト２８は、携帯端末１７ｄに対して繰り返しの呼び出しを実行する。
【０１６８】
携帯端末１７ｄが３回の呼び出しでも応答しなかった場合、ドアホンホスト２８は、優先値２の携帯端末１７ａの呼び出しを開始する。優先値が設定されていない携帯端末１７ｃ，１７ｄについては、呼び出しはされない。
【０１６９】
優先値が設定された携帯端末１７ａ〜１７ｄが２階から１階、あるいは１階から２階に移動した場合には、すべての携帯端末１７ａ〜１７ｄにおける優先値の再割り付けが実施される。
【０１７０】
例えば、図１２に示した携帯端末１７ａ〜１７ｄの優先値が設定された状態から、図１３に示すように、携帯端末１７ａ，１７ｂが２階から１階にそれぞれ移動し、携帯端末１７ｄが１階から２階に移動した場合について説明する。
【０１７１】
上述した要件にて優先値を設定するルールを適用すると、優先値１は、２階から１階に移動した父の携帯端末１７ａとなり、優先値２は、１階から２階に移動した母の携帯端末１７ｄとなる。また、姉の携帯端末１７ｂおよび妹の携帯端末１７ｃについては、図１２の場合と同様に、優先値は設定されない。
【０１７２】
優先値の再割り付け後においても、ドアホンホスト２８からの優先値に応じた呼び出し動作は、前記と同様の動作であり、ここでの呼び出し動作説明は省略する。
【０１７３】
このように家族４台の携帯端末１７ａ〜１７ｄのうち、特定の携帯端末、ここでは両親が所有する携帯端末１７ａ，１７ｄに対してのみ自宅３７内の移動に応じて、ダイナミックに優先値を変更することができる。これにより、ドアホンホスト２８からの呼び出し対応を安心安全にすることができる。
【０１７４】
上述した優先値の設定およびドアホンホスト２８から携帯端末１７ａ，１７ｄに対する呼び出し動作のそれぞれの処理について、図１４および図１５を用いて説明する。
【０１７５】
〈優先値の設定処理例〉
図１４は、図１２の電化機器通信システムによる優先値の設定処理の一例を示すフローチャートである。
【０１７６】
まず、無線ＬＡＮ通信によって、ドアホンホスト２８は、Ｗｉｆｉ無線接続がされている携帯端末の台数と個々の携帯端末のＩＤ情報を取得する（ステップＳ５０１）。
【０１７７】
各々の携帯端末１７ａ〜１７ｄは、受信強度を判定する（ステップＳ５０２）。このステップＳ５０２の処理では、位置特定ユニット４０のＢＬＥ送信部４１から送信されるＢｌｕｅｔｏｏｔｈ波を受信して、ＣＰＵ１１がその受信強度を計測する。
【０１７８】
そして、ＣＰＵ１１は、計測した受信強度が設定されたしきい値以上であるか否かを判定する。受信強度がしきい値以上の場合には、近距離無線サービスエリア３６内、すなわち自宅３７の１階に位置していると判定する。また、受信強度がしきい値を下回った場合には、近距離無線サービスエリア３６の範囲外、すなわち自宅３７の２階に位置していると判定する。
【０１７９】
そして、各携帯端末１７ａ〜１７ｄは、ドアホンホスト２８に対してＷｉｆｉ通信を行い、自身の携帯端末が自宅３７の１階に位置しているか否かの情報を報告する（ステップＳ５０３）。このとき、上述したＩＤ番号記憶部３に格納されている利用者の属性、すなわち大人であるか子供であるか示す情報も送信される。
【０１８０】
ドアホンホスト２８は、図１の優先値制御部２５にて、近距離無線サービスエリア３６内、すなわち自宅３７の１階に位置している携帯端末であり、かつ属性情報が大人を示す携帯端末を最優先として優先値１を設定する（ステップＳ５０４）。この属性情報が許可情報となる。
【０１８１】
また、自宅３７の２階に位置している携帯端末であり、かつ属性情報が大人を示す携帯端末は優先値２を設定する。属性情報が子供を示す携帯端末１７ｂ、１７ｃについては優先値を設定しない。
【０１８２】
ドアホンホスト２８は、携帯端末１７ａ，１７ｄの優先値を決定すると、携帯端末１７ａ〜１７ｄのＩＤ情報であるＭＡＣアドレスを指標として、各々の携帯端末１７ａ〜１７ｄに決定した優先値をＷｉｆｉ通信にて送信する（ステップＳ５０５）。
【０１８３】
各々の携帯端末１７ａ，１７ｄは、図１の無線ＬＡＮ部４によってＷｉｆｉ通信にて送られてきた優先値をそれぞれ受信する。図１の優先値変更部１は、受信したＭＡＣアドレスに対応する優先値を認識して、図１の優先値記憶部２に該優先値を記録する（ステップＳ３０６）。なおステップＳ３０６の処理では、優先値が設定されないことを示す情報を携帯端末１７ｂ，１７ｃに送信するようにしてもよい。
【０１８４】
以上の処理によって、自宅３７の１階にある携帯端末１７ｄを優先的に呼び出し、子供が所有する携帯端末１７ｂ，１７ｃは呼び出しされないように優先値を設定することができる。
【０１８５】
〈呼び出し動作の処理例〉
続いて、優先値が設定された携帯端末１７に対するドアホンホスト２８からの呼び出し動作について、図１５を用いて説明する。
【０１８６】
図１５は、図１２の電化機器通信システムによる呼び出し処理の一例を示すフローチャートである。
【０１８７】
なお、ここでも、以下に説明する呼び出し処理は、携帯端末１７およびドアホンホストにそれぞれ設けられた図示しないプログラム格納メモリなどに記憶されているプログラム形式のソフトウェアに基づいて、各機能の処理を実行するものとする。
【０１８８】
これらのソフトウェアは、携帯端末１７のＣＰＵ１１およびドアホンホスト２８のＣＰＵ２４によって実行される。また、上記の機能を実行するソフトウェアは、インターネットなどの通信回線を介してダウンロードすることができる。
【０１８９】
まず、ドアホンホスト２８の呼び出しスイッチである図７のスイッチ２７が訪問者などに操作されると（ステップＳ６０１）、ドアホンホスト２８は、携帯端末１７ａ〜１７ｄに対して訪問者がスイッチ２７を操作したことを知らせる呼び出し情報を無線ＬＡＮ１９から送信する。
【０１９０】
携帯端末１７ａ〜１７ｄは、優先値１の携帯端末を呼び出すための情報が重畳されている呼び出し情報を受信すると、優先値記憶部２に格納されている優先値をそれぞれ確認する。
【０１９１】
そして、優先値１が設定されている携帯端末、図１２では携帯端末１７ｄは、優先値が１であることを認識すると、ドアホン子機となるアプリケーションＡＰ１をアクティブにする。
【０１９２】
これによって、携帯端末１７ｄは、表示部１６にドアホンホスト２８からの呼び出し画面を表示するとともに、スピーカ１３から呼び出し音を出力する（ステップＳ６０２）。
【０１９３】
優先値１の携帯端末１７ｄによる応答がない場合、ドアホンホスト２８は、優先値１の携帯端末１７ｄへの呼び出し動作を継続しながら、携帯端末１７ａ，１７ｂ，１７ｃに対して呼び出し情報を送信する（ステップＳ６０３）。ここでも、優先値１の携帯端末１７ｄの呼び出しは、例えば３回とする。
【０１９４】
呼び出し情報を受信した携帯端末１７ａ〜１７ｃは、優先値記憶部２に格納されている優先値をそれぞれ確認する。図８では、携帯端末１７ａに優先値２が設定されているので、携帯端末１７ａは、優先値が２であることを認識すると、アプリケーションＡＰ１をそれぞれアクティブにする。
【０１９５】
これによって、携帯端末１７ａは、表示部１６にドアホンホスト２８からの呼び出し画面をそれぞれ表示するとともに、スピーカ１３から呼び出し音をそれぞれ出力する（ステップＳ６０４）。
【０１９６】
また、携帯端末１７ｂ，１７ｃは、優先値が設定されていないため、アプリケーションＡＰ１がアクティブになることはなく、その結果、該携帯端末１７ｂ，１７ｃは、呼び出しされない。
【０１９７】
これにより、携帯端末１７ａ〜１７ｄへの呼び出し処理が終了となる。
【０１９８】
また、自宅３７の１階に設置される位置特定ユニット４０は、ＢＬＥ送信部４１から常時Ｂｌｕｅｔｏｏｔｈ波を出力しており、自宅３７内の携帯端末は、そのＢｌｕｅｔｏｏｔｈ波を常時受信している。
【０１９９】
したがって、携帯端末の移動が発生した場合、すなわち該携帯端末が自宅３７の１階から２階に、あるいは２階から１階に移動した際に、ドアホンホスト２８に対して移動した旨をＷｉｆｉ通信にてドアホンホスト２８に送信する。
【０２００】
１階から２階に、あるいは２階から１階に移動したことの判定は、図１４のステップＳ５０２の処理と同様に、Ｂｌｕｅｔｏｏｔｈ波の受信強度がしきい値以上であるかまたはしきい値を下回っているかによって判定する。
【０２０１】
ドアホンホスト２８は、携帯端末から移動したことの報告を契機に、再度、優先値の割り付け処理を実施する。この優先値の再割り付け処理は、図１０と同様の処理であるので、説明は省略する。
【０２０２】
以上により、携帯端末に設定された属性情報に基づいて、例えば大人などの特定ユーザを特定してドアホンホスト２８から優先的に呼び出しをすることができる。それにより、自宅３７の大人のみが突然の訪問者に対して素早く応対することができ、安心安全を実現することができる。
【０２０３】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０２０４】
前記実施の形態１〜３では、電化機器がドアホンホストであり、該ドアホンホストの子機として携帯端末が用いられる例について説明したが、電化機器通信システムはこれに限定されるものではない。
【０２０５】
例えば、電化機器としては、固定電話、エアコン、照明、あるいはテレビなどの様々な電化製品に適用することができる。また、携帯端末、すなわちスマートホンは、固定電話の子機端末、エアコンの操作端末、照明の操作端末、またはテレビの操作端末などとして機能させることができる。
【０２０６】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０２０７】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０２０８】
１  優先値変更部
２  優先値記憶部
３  ＩＤ番号記憶部
４  無線ＬＡＮ
５  ＢＬＥ受信部
６  アプリケーション格納部
９  セレクト部
１０  メモリ
１１  無線ＬＡＮ
１２  マイク
１３  スピーカ
１５  入力部
１６  表示部
１７  携帯端末
１７ａ  携帯端末
１７ｂ  携帯端末
１７ｃ  携帯端末
１７ｄ  携帯端末
２０  ＢＬＥ送信部
２１  スピーカ
２２  カメラ
２３  メモリ
２５  優先値制御部
２６  マイク
２７  スイッチ
２８  ドアホンホスト
３６  近距離無線サービスエリア
３７  自宅
４０  位置特定ユニット
４１  ＢＬＥ送信部
【図１】
2017098633.tif 000003
【図２】
2017098633.tif 000004
【図３】
2017098633.tif 000005
【図４】
2017098633.tif 000006
【図５】
2017098633.tif 000007
【図６】
2017098633.tif 000008
【図７】
2017098633.tif 000009
【図８】
2017098633.tif 000010
【図９】
2017098633.tif 000011
【図１０】
2017098633.tif 000012
【図１１】
2017098633.tif 000013
【図１２】
2017098633.tif 000014
【図１３】
2017098633.tif 000015
【図１４】
2017098633.tif 000016
【図１５】
2017098633.tif 000017
【国際調査報告】
2017098633.tif 000018
2017098633.tif 000019
2017098633.tif 000020